(57)【要約】      （修正有）【課題】収納ボックスの取付を容易に行うことができるエレベータの運転操作盤装置を得る。【解決手段】エレベータの乗場又はかごの側壁７に形成された開口部内に配置され、その側部に取付孔が形成された収納ボックス１と、収納ボックスの側部と所定の間隙を有して対向するように設けられ、取付孔の対向位置にネジ孔が形成された取付板８と、取付孔を介して取付板のネジ孔に螺嵌されるボルト９とを備えるとともに、収納ボックスに、取付孔の周囲に一部を残してスリット溝１ｂを形成することにより、ボルトの締結時に、スリット溝で囲まれた固定部を取付板側に移動させる。【選択図】図５
2007230680.tif 000002
【特許請求の範囲】
【請求項１】
エレベータの乗場又はかごの側壁に形成された開口部内に配置され、その側部に取付孔が形成された収納ボックスと、
前記収納ボックスの側部と所定の間隙を有して対向するように設けられ、前記取付孔の対向位置にネジ孔が形成された取付板と、
前記取付孔を介して前記取付板の前記ネジ孔に螺嵌されるボルトと、
を備え、
前記収納ボックスは、前記取付孔の周囲に一部を残してスリット溝が形成され、前記ボルトの締結時、前記スリット溝で囲まれた固定部が前記取付板側に移動することを特徴とするエレベータの運転操作盤装置。
【請求項２】
収納ボックスは、取付孔の三方に、一続きのスリット溝が形成され、ボルトの締結時、前記スリット溝で囲まれた固定部が取付板側に移動することを特徴とする請求項１に記載のエレベータの運転操作盤装置。
【発明の詳細な説明】
【技術分野】
【０００１】
この発明は、エレベータの乗場やかごに設置されてかご呼びや行先階を登録する運転操作盤装置に関するものである。
【背景技術】
【０００２】
エレベータの利用者は、エレベータ乗場においてかご呼びを登録する場合や、エレベータのかご内において行先階を登録する場合に、乗場やかごに設置された運転操作盤を操作する。この運転操作盤は、乗場の側壁やかごの側壁に形成された開口部に、プリント基板等を収納する収納ボックスが配置されるとともに、行先ボタンやドアの開閉ボタン等が配置されたフェースプレートが、側壁に形成された上記開口部を塞ぐように、収納ボックスに取り付けられている。
【０００３】
なお、かかる構成を有する従来のエレベータの運転操作盤装置として、フェースプレートの周縁部に配置される装飾用の嵩上げ体をかごの側壁に予め装着させて、収納ボックスの側部を取付ボルトによってかご側に固定するものが提案されている（例えば、特許文献１参照）。
【０００４】
【特許文献１】特開平６−３２１４６４号公報
【発明の開示】
【発明が解決しようとする課題】
【０００５】
図６は、特許文献１記載のものを含めた従来のエレベータの運転操作盤装置を示すものである。図６において、運転操作盤装置に必要なプリント基板等を収納する収納ボックス１は、かごの側壁７の裏面に設けられた取付板８に、取付ボルト９を介して締結固定されている。ここで、この収納ボックス１の幅は、工作誤差等を考慮して、かごの側壁７に形成された開口部の幅よりも小さくなるように設定されている。即ち、収納ボックス１の側部と取付板８との間には、予め所定の間隙Ｘが設けられている。したがって、収納ボックス１を取付板８に固定する場合には、収納ボックス１の側部と取付板８との間に、図７に示すようなスペーサ１０を必要枚数挟み込む必要があり、取付ボルト９による締結固定時の作業性が悪化するという問題が生じていた。
【０００６】
なお、上記スペーサ１０の必要枚数は、収納ボックス１の幅と収納ボックス１の両側に配置された取付板８のピッチ間距離によって決定されるため、収納ボックス１の設置場所毎に異なるといった問題もあった。また、このスペーサ１０を使用しないで収納ボックス１を取付板８に締結固定した場合には、例えば、取付板８の強度が収納ボックス１の側部の強度よりも弱い場合には、図８に示すように取付板８や側壁７が変形して意匠性を損なうといった問題も発生していた。
【０００７】
この発明は、上述のような課題を解決するためになされたもので、その目的は、収納ボックスの取付を容易に行うことができるエレベータの運転操作盤装置を提供することである。
【課題を解決するための手段】
【０００８】
この発明に係るエレベータの運転操作盤装置は、エレベータの乗場又はかごの側壁に形成された開口部内に配置され、その側部に取付孔が形成された収納ボックスと、収納ボックスの側部と所定の間隙を有して対向するように設けられ、取付孔の対向位置にネジ孔が形成された取付板と、取付孔を介して取付板のネジ孔に螺嵌されるボルトと、を備え、収納ボックスは、取付孔の周囲に一部を残してスリット溝が形成され、ボルトの締結時、スリット溝で囲まれた固定部が取付板側に移動するものである。
【発明の効果】
【０００９】
この発明は、エレベータの乗場又はかごの側壁に形成された開口部内に配置され、その側部に取付孔が形成された収納ボックスと、収納ボックスの側部と所定の間隙を有して対向するように設けられ、取付孔の対向位置にネジ孔が形成された取付板と、取付孔を介して取付板のネジ孔に螺嵌されるボルトと、を備え、収納ボックスは、取付孔の周囲に一部を残してスリット溝が形成され、ボルトの締結時、スリット溝で囲まれた固定部が取付板側に移動する構成としたことで、収納ボックスの取付を容易に行うことができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１におけるエレベータの運転操作盤装置の正面図、図２はその側面図、図３は図２に示すエレベータの運転操作盤装置のＢ部拡大図である。図１乃至図３において、エレベータの運転操作盤装置は、乗場の壁面やかごの壁面に設けられ、エレベータの利用者が乗場においてかご呼びを登録する場合や、かご内において行先階を登録する場合に操作される。ここで、１は運転操作盤装置に使用されるプリント基板等を収納し、乗場の側壁やかごの側壁に形成された開口部内に配置されて乗場やかごに取り付けられる収納ボックス、２はこの収納ボックス１に設けられ、上記壁面に形成された開口部を塞ぐように配置されてエレベータの利用者に対向するフェースプレートである。
【００１２】
ここで、フェースプレート２には、かご内にいるエレベータ利用者に対してかごの進行方向を示す方向灯３、かごの現在位置を示す位置表示灯４、行先階を登録する複数の行先ボタン５、ドアの開閉を登録するドア開閉ボタン６等が設けられている。なお、図１及び図２に示す運転操作盤装置は、かご内に設けられたものを一例として示している。
【００１３】
また、上記収納ボックス１には、その両側部に、取付用の複数の取付孔１ａが所定間隔毎に形成されている。また、各取付孔１ａの上下側及び奥側となる三方には、略コ字状を呈する一続きのスリット溝１ｂが形成されている。即ち、収納ボックス１の側部には、取付孔１ａの周囲に一部を残してスリット溝１ｂが形成されており、上記スリット溝１ｂによって囲まれた部分（以下、「ネジ固定部１ｃ」という）は、一側（前側）のみが他の部分と繋がって支持されている。
【００１４】
また、図４は図１に示すエレベータの運転操作盤装置の収納ボックス取付前におけるＡ−Ａ断面図、図５は図１に示すエレベータの運転操作盤装置の収納ボックス取付後におけるＡ−Ａ断面図である。図４及び図５において、かごの側壁７には、収納ボックス１が配置される略長方形状の開口部が形成されている。また、この側壁７の裏面には、上記開口部の周縁部に略Ｌ字状の取付板８が接着や溶接等で固定されており、その一部が側壁７の裏面側に突出して配置されている。側壁７の裏面側に突出する取付板８の一部（以下、「立上部」という）は、収納ボックス１の取付時に収納ボックス１の側部と所定の間隙を有して対向するように配置されるとともに、収納ボックス１に形成された各取付孔１ａの対向位置に、収納ボックス１を取り付けるための複数のネジ孔８ａが形成されている。なお、この取付板８は、上記開口部の周縁部に取り付けられることにより、側壁７の強度を高める機能も有している。また、９は収納ボックス１に形成された取付孔１ａを介して取付板８に形成されたネジ孔８ａに螺嵌された取付ボルトとを示している。
【００１５】
かかる構成を有する収納ボックス１をかごの側壁７に固定する場合、先ず、収納ボックス１の側部に形成された各取付孔１ａを取付板８の立上部に形成されたネジ孔８ａの位置に合わせるようにして、収納ボックス１を側壁７に形成された開口部内に配置する。ここで、収納ボックス１の幅は、工作誤差等を考慮して、側壁７に形成された開口部の幅、及び、開口部の両側に配置された上記取付板８のピッチ間距離よりも小さくなるように設定されている。即ち、収納ボックス１の側部と取付板８との間には、所定の間隙Ｘが形成されている。そして、収納ボックス１の内側から取付ボルト９をネジ孔８ａに対して締め付け、収納ボックス１を取付板８に固定する。なお、収納ボックス１の側部に形成された取付孔１ａの上下側及び奥側にはスリット溝１ｂが形成されているため、取付ボルト９を締め付けることにより、ネジ固定部１ｃのみが取付板８側に移動して変形する。そして、ネジ固定部１ｃが取付板８側に間隙Ｘの距離分変形することにより、取付板８に接触して収納ボックス１が取付板８に固定される。
【００１６】
この発明の実施の形態１によれば、収納ボックス１をかごの側壁７に取り付ける際、収納ボックス１の側部に設けられたネジ固定部１ｃのみが取付板８側に変形するため、従来のように収納ボックス１の側部と取付板８との間にスペーサ１０を介在させる必要が無く、その取付を容易に行うことが可能となる。また、かごの側壁７の変形も確実に防止することができる。なお、ネジ固定部１ｃ及び取付板８は、取付ボルト９の締結時にネジ固定部１ｃのみが変形し、取付板８及びかごの側壁７が変形しないような所定の強度を有している。即ち、ネジ固定部１ｃは、取付板８やかごの側壁７に合わせて、その幅や厚さ、材質等が設定されている。また、取付孔１ａの三方に一続きのスリット溝１ｂを形成するような簡単な構成によって、取付板８側に移動させるネジ固定部１ｃを形成することができるため、他の部品の使用の使用を必要とせず、収納ボックス１の取付の容易化を図ることもできる。
【００１７】
実施の形態１では、かご内に設置された運転操作盤装置について説明したが、エレベータの乗場に設置されたものについても同様の効果を得ることは可能である。
【図面の簡単な説明】
【００１８】
【図１】この発明の実施の形態１におけるエレベータの運転操作盤装置の正面図である。
【図２】この発明の実施の形態１におけるエレベータの運転操作盤装置の側面図である。
【図３】図２に示すエレベータの運転操作盤装置のＢ部拡大図である。
【図４】図１に示すエレベータの運転操作盤装置の収納ボックス取付前におけるＡ−Ａ断面図である。
【図５】図１に示すエレベータの運転操作盤装置の収納ボックス取付後におけるＡ−Ａ断面図である。
【図６】従来のエレベータの運転操作盤装置の要部平面図である。
【図７】従来のエレベータの運転操作盤装置に使用されるスペーサを示す図である。
【図８】従来のエレベータの運転操作盤装置の収納ボックス取付後の状態を示す図である。
【符号の説明】
【００１９】
１  収納ボックス
１ａ  取付孔
１ｂ  スリット溝
１ｃ  ネジ固定部
２  フェースプレート
３  方向灯
４  位置表示灯
５  行先ボタン
６  ドア開閉ボタン
７  側壁
８  取付板
８ａ  ネジ孔
９  取付ボルト
１０  スペーサ
【図１】
2007230680.tif 000003
【図２】
2007230680.tif 000004
【図３】
2007230680.tif 000005
【図４】
2007230680.tif 000006
【図５】
2007230680.tif 000007
【図６】
2007230680.tif 000008
【図７】
2007230680.tif 000009
【図８】
2007230680.tif 000010